(57)【要約】      （修正有）【課題】多数連続して干した洗濯物を、広げたままで保持し、かつ連続して干すための洗濯物干し具を提供する。【解決手段】上枠ｈ１の中央部に洗濯竿Ｂに着脱自在に吊持される第１フック部ｈ２を有するハンガーであって下枠水平部ｈ３に複数の透孔ｈ４を設けてハンガー本体とする。さらに、硬質ステンレス線の中央部を曲成してハンガー本体の透孔に挿入される第２フック部Ｓ２と、Ｖ字形二股部Ｓ３、Ｓ４等の両先端部を曲成して洗濯バサミ１０のリング部Ｒにバネアクションで挿入され、洗濯バサミ１０をそれぞれ吊持する第３のフック部Ｓ１とを有する硬質ステンレス線製補助吊り具Ｓにより洗濯物干し具を構成する。【選択図】図１
0003172167.tif 000002
【実用新案登録請求の範囲】
【請求項１】
上枠ｈ１と下枠水平部ｈ３を有し、上枠ｈ１の中央部に、洗濯竿Ｓに着脱自在に吊持される第１フック部ｈ２を形成し、下枠水平部ｈ３に複数の透孔ｈ４をあけたハンガー本体Ｈ、及び硬質ステンレス線の中央部を曲成して上記ハンガーの透孔ｈ４に挿入される第２フック部Ｓ２を形成し且つ硬質ステンレス線の両端部でＶ字形の二股部Ｓ３，Ｓ４を形成し、更にその二股部Ｓ３，Ｓ４の両先端部を曲成して既存の洗濯バサミ１０のリング部をそれぞれ吊持する第３のフック部Ｓ５を形成した補助吊り具Ｓを備え、
複数の上記ハンガーＨを洗濯竿Ｂに、間隔をおいて吊り下げ、上記洗濯バサミ１０で隣り合う洗濯物を掴み広げた状態で連続して干すことを特徴とする洗濯物干し具。
【請求項２】
上記補助吊り具Ｓを、ツリー状に連結し洗濯バサミ１０の吊持数を増やすことを特徴とする請求項１に記載の洗濯物干し具。
【考案の詳細な説明】
【技術分野】
【０００１】  この考案は、竿に多くの洗濯物を連続して干すための洗濯物干し具に関する。
【背景技術】
【０００２】  通常、竿に吊下げた各洗濯バサミは、長さ方向に自由に移動できるようにしており、また、自由に広げることができる反面、風が吹くと、洗濯物は広がった状態から  しぼんだ状態になる場合がある。
【先行技術文献】
【特許文献】
【０００３】
【特許文献１】特開２００８−１７８４４３号公報
【特許文献２】実用新案登録第３１２０００４号公報
【特許文献３】実用新案登録第３０９７５００号公報
【考案の概要】
【考案が解決しようとする課題】
【０００４】  上記のように、洗濯物が広がった状態から  しぼんだ状態になると、洗濯物の乾きが悪くなるので、これが解決のため、多数連続して干した洗濯物が、広がったままで保持され、乾きのよい、連続して干すための洗濯バサミ具として、特許文献１が提案されている。この考案は、この特許文献１の基本原理を応用し特許文献１を更に改良したものである。
【課題を解決するための手段】
【０００５】  この考案の洗濯物干し具は、上枠ｈ１の中央部に、洗濯竿Ｂに着脱自在に吊持される第１フック部ｈ２を有する既存のハンガーであって下枠水平部ｈ３に複数の透孔ｈ４を設けたハンガー本体Ｈ、及び硬質ステンレス線の中央部を曲成して上記ハンガー本体Ｈの透孔ｈ４に挿入される第２フック部Ｓ２と、両端のＶ字形二股部Ｓ３，Ｓ４の両先端部を曲成して既存の洗濯バサミ１０のリング部Ｒにバネアクションで挿入され、洗濯バサミ１０をそれぞれ吊持する第３のフック部Ｓ５とを有する硬質ステンレス線製補助吊り具で構成した洗濯物干し具である。
【考案の効果】
【０００６】  この考案によれば、風が吹いても、風を受けた多数の洗濯物を一度に効率よく干すことができる。又特許文献１のものは強度が弱いが、この考案の補助吊り具Ｓは、特許文献１に比べて次の効果がある。
（１）吊ハンガー本体Ｈに多数の硬質ステンレス線製の補助吊り具Ｓを取り付けているので、多くの洗濯物を一度に干すことができ、風が吹いても、補助吊り具Ｓが捩れることがなく、洗濯物がしぼんだ状態になることがない。
（２）補助吊り具Ｓは、硬質ステンレス線製のため、二股部が常に離れており、洗濯物を干す時、特許文献１の紐状のものに比べ洗濯バサミの取り扱いが容易である。
（３）補助吊り具Ｓは、硬質ステンレス線製のため、長期間使用でき、既存の洗濯バサミが壊れても新品のものとワンタッチで容易に交換できる。同様に例えば樹脂製のハンガー本体も容易に交換することができる。
【図面の簡単な説明】
【０００７】
【図１】この考案の実施例１である洗濯物干し具を示す図で、（ａ）はハンガーへの取り付け状態を示す全体図、（ｂ）はこの考案の補助吊り具Ｓのみを示す拡大正面図である。
【図２】この考案の補助吊り具Ｓのうち、既存の洗濯バサミ部分の取り付け状態を示す正面図である。
【図３】この考案の実施例１である洗濯物干し具の使用状態を示す正面図である。
【図４】図３の上面図である。
【図５】この考案の実施例２である洗濯物干し具を示す正面図で、（イ）はハンガーへの取り付け状態を示す全体図、（ロ）は補助吊り具Ｓのみを示す拡大正面図である。
【図６】この考案の実施例２である洗濯物干し具の使用状態を示す正面図である。
【図７】図６の上面図である。
【考案を実施するための形態】
【０００８】  以下、図面に基づいて、この考案の実施例１と２を説明する。
実施例１
この考案の実施例１の洗濯物干し具は、図１〜図４に示すように、ハンガー本体Ｈとこのハンガー本体Ｈに吊持される複数の硬質ステンレス線製補助吊り具Ｓで構成したものである。
ハンガー本体Ｈは、上枠ｈ１の中央部に洗濯竿Ｂに着脱自在に吊持される第１フック部ｈ２を有する既存のハンガーを流用し、下枠水平部ｈ３に硬質ステンレス線製補助吊り具Ｓを吊持する複数の透孔ｈ４をあけたものである。
硬質ステンレス線製補助吊り具Ｓは、１本の硬質ステンレス線の中央部を折り曲げ、更に  こより状（紙縒り状）に撚ってその紙縒り部を曲成して上記ハンガーの透孔ｈ４に挿入される第２フック部Ｓ２が形成され、紙縒り状に撚っていない両端部でＶ字形の二股部Ｓ３，Ｓ４を形成し、更にその両端先端部を曲成して既存の洗濯バサミ１０のリング部に挿入され、バネアクションで洗濯バサミ１０をそれぞれ吊持する第３のフック部Ｓ１を形成している。
複数の上記ハンガーＨを洗濯竿Ｂにある間隔をおいて吊り下げ、硬質ステンレス線製補助吊り具の二股部Ｓ３，Ｓ４に取り付けた一対の洗濯バサミ１０で、互いに隣り合う洗濯物１６の上側隅部を掴み洗濯ものを広げた状態で連続して干すことができるものである。
【０００９】実施例２
この考案の実施例２の洗濯物干し具は、図５〜図７に示すように、硬質ステンレス線製補助吊り具Ｓをダブル式にツリー状に連結して洗濯バサミ１０の数を増やし、より多くの洗濯物を干すことができるようにしたものである。
その使用方法は、実施例１と同様のため説明を割愛する。
【符号の説明】
【００１０】    Ｈ  ハンガー本体
ｈ１  上枠
ｈ２  第１フック部
ｈ３  下枠水平部
ｈ４  透孔
Ｓ  硬質ステンレス線製補助吊り具
Ｓ１  第３のフック部
Ｓ２  第２フック部
Ｓ３〜Ｓ８  Ｖ字形の二股部
Ｂ  洗濯竿。
１０  既存の洗濯バサミ
Ｒ  洗濯バサミのリング部
１６  洗濯物。
【図１】
0003172167.tif 000003
【図２】
0003172167.tif 000004
【図３】
0003172167.tif 000005
【図４】
0003172167.tif 000006
【図５】
0003172167.tif 000007
【図６】
0003172167.tif 000008
【図７】
0003172167.tif 000009